(57)【要約】      （修正有）【課題】様々な方向の枝管に対する流入口を備えた汚水枡を提供する。【解決手段】枡本体１４に流入口１２と流出口１１とを設けた汚水枡１０であって、流出口１１に対して１１２．５度の合流角度で設けられた流入口に、２２．５度屈曲した管体１３を回転自在に取り付け構成した。【選択図】図１
0003204623.tif 000002
【実用新案登録請求の範囲】
【請求項１】
枡本体に流入口と流出口とを設けた汚水枡であって、流出口に対して１１２．５度の合流角度で設けられた流入口に、２２．５度屈曲した管体を回転自在に取り付けた汚水枡。
【請求項２】
流出口に対して１５７．５度の合流角度で設けられた流入口に、２２．５度屈曲した管体を回転自在に取り付けた請求項１に記載の汚水枡。
【請求項３】
枡本体に２個の流入口Ａ及び流入口Ｂを、合流角度が４５度となる位置に設けると共に、流入口Ａから流入口Ｂに向けて２２．５度傾いた方向に汚水が流出するよう流出口を設け、当該流出口に対して２２．５度屈曲した管体を、流出口に対して回転自在に取り付けた汚水枡。
【請求項４】
流入口Ａの管軸ＡＫと流入口Ｂの管軸ＢＫの交点Ｋ1と、管体４０の流入口４２の管軸ＣＫと流出口４１の管軸ＤＫの交点Ｋ２が、流出口に管体を嵌め込んだ際に一致するよう、汚水枡３０の流出口３１、管体４０の流入口４２及び管体４０を形成した請求項３に記載の汚水枡。
【考案の詳細な説明】
【技術分野】
【０００１】
本考案は汚水枡に関する。
【背景技術】
【０００２】
通常家庭等から排出される汚水を下水管本管に接続する管路の屈曲部には、この屈曲部に溜まる汚物等を掃除できるように汚水枡を設けている。この汚水枡は枡本体に流入口と流出口と枝管部とが設けられていて、流入口と流出口をそれぞれ本管に接続し、家庭から出る汚水管を枝管部に接続する構造となっている。
【０００３】
ところで、この管路の屈曲部の曲がる方向は一定でない。従って、流入口または流出口の方向を変えることができると便利である。
【０００４】
そこで、流入口または流出口の方向を変えることができる汚水枡として、特許文献１には枝管部と汚本枡とが柔軟な管で連結された汚水枡が開示されている。
【０００５】
また、特許文献２には流出口または流入口に自在継手が取り付けられていて、この自在継手を適宜回転させることによって方向を変えることができる汚水枡が開示されている    特許文献３には枝管部に４５°Ｙ継手が取り付けられていて、この４５°Ｙ継手を適宜回転させることによって方向を変えることができる汚水枡が開示されている。
【先行技術文献】
【特許文献】
【０００６】
【特許文献１】特開平１０−７７６８１号公報
【特許文献２】実公平４−１４３６号公報
【特許文献３】実公平５−４６３４号公報
【考案の概要】
【考案が解決しようとする課題】
【０００７】
一般に、家庭から排出される排水管（枝管）の方向は、排水本管に対して一定でない。そこで施工業者は様々な方向の枝管に対する流入口を備えた汚水枡を、管路布設場所に持参することが必要であった。これは施工業者にとって大きな負担である。
【０００８】
また、汚水枡製造業者にとっても、様々な方向の枝管に対する流入口を備えた汚水枡を製造することは、金型費用の増大化をもたらし、負担が大きいものであった。
【０００９】
そこで請求項１に記載の考案は、一つの汚水枡でありながら、汚水の流路角度を４５度と９０度両方に構成しえる汚水枡を提供することを目的とする。
【００１０】
また、請求項２に記載の考案は、一つの汚水枡でありながら、汚水の流路角度を４５度と１８０度両方に構成しえる汚水枡を提供することを目的とする。
【００１１】
請求項３に記載の考案は、一つの汚水枡でありながら本管の流入口に対して４５度傾いた枝管取付口を、本管の流入口の左右どちらにも位置せしめることを可能とした汚水枡を提供することを目的とする。
【００１２】
請求項４に記載の考案は、排水本管の流入口管軸と、流出口管軸とを一致せしめることを可能な汚水枡を提供することを目的とする。
【課題を解決するための手段】
【００１３】
上記の目的を達成する本考案の構成は次の通りである。
【００１４】
（１）  請求項１に記載の考案は、枡本体に流入口と流出口とを設けた汚水枡であって、流出口に対して１１２．５度の合流角度で設けられた流入口に、２２．５度屈曲した管体を回転自在に取り付け構成した。
【００１５】
（２）  請求項２に記載の考案は、請求項１に記載の汚水枡において、流出口に対して１５７．５度の合流角度で設けられた流入口に、２２．５度屈曲した管体を回転自在に取り付け構成した。
【００１６】
（３）  請求項３に記載の考案は、枡本体に２個の流入口Ａ及び流入口Ｂを、合流角度が４５度となる位置に設けると共に、流入口Ａから流入口Ｂに向けて２２．５度傾いた方向に汚水が流出するよう流出口を設け、当該流出口に対して２２．５度屈曲した管体を、流出口に対して回転自在に取り付け構成した。
【００１７】
（４）  請求項４に記載の考案は、請求項３に記載の汚水枡において、流入口Ａの管軸ＡＫと流入口Ｂの管軸ＢＫの交点Ｋ1と、管体４０の流入口４２の管軸ＣＫと流出口４１の管軸ＤＫの交点Ｋ２が、流出口３１に管体４０を嵌め込んだ際に一致するよう、汚水枡３０の流出口３１、管体４０の流入口４２及び管体４０を構成した。
【考案の効果】
【００１８】
上記のように構成される本考案が、如何に作用して課題を解決するかを図面を参照しながら概説する。
【００１９】
図２は請求項１記載の汚水枡１０を、汚水の流路角度を９０度にした状態を示すものである。流出口１１と流入口１２との屈曲角度（図中Ｈ）は１１２．５度に設けてある。管体１３は２２．５度屈曲している。しかも管体１３は流入口１２に対して回転自在に取り付けられている。それゆえ管体１３を図２において下方に２２．５度（図中Ｉ）屈曲した位置に回転させると、汚水の流路角度は９０度となるものである。
【００２０】
他方で図３に示すように、管体１３を図３において上方に２２．５度（図中Ｊ）屈曲した位置に回転させると、汚水の流路角度は４５度となるものである。
【００２１】
尚、上述の流出口１１、流入口１２は汚水の流れる方向によっては１１が流入口に、１２が流出口にもなりえるものである。
【００２２】
図５は請求項２記載の汚水枡２０を、汚水の流路角度を４５度にした状態を示すものである。流出口２１と流入口２２との屈曲角度（図中Ｋ）は１５７．５度に設けてある。管体２３は２２．５度屈曲している。しかも管体２３は流入口２２に対して回転自在に取り付けられている。それゆえ管体２３を図５において右方に２２．５度（図中Ｌ）屈曲した位置に回転させると、汚水の流路角度は４５度となるものである。
【００２３】
他方で図６に示すように、管体２３を図６において左方に２２．５度（図中Ｍ）屈曲した位置に回転させると、汚水の流路角度は１８０度となるものである。
【００２４】
尚、上述の流出口２１、流入口２２は汚水の流れる方向によっては２１が流入口に、２２が流出口にもなりえるものである。
【００２５】
図９は請求項３あるいは請求項４記載の汚水枡３０において、流入口Ａに対して、図中右側に４５度(図中Ｎ）傾いて流入口Ｂを位置せしめた状態を示すものである。汚水の流出口３１は流入口Ａから流入口Ｂに向けて２２．５度(図中Ｏ）傾いた方向に設けられている。しかも管体４０は流出口３１に対して回転自在に取り付けられている。それゆえ管体４０を図９において右方に２２．５度（図中Ｑ）屈曲した位置に回転させると、流入口Ａと管体４０の流出口４１とは、汚水の流れる角度が１８０度となる。つまり、流入口Ａは排水本管の流入口となり管体４０の流出口４１は排水本管の流出口と成るものである。
【００２６】
この際、流入口Ｂを枝管取り付け口とし、流入口Ｂに図示されない枝管を取り付けると排水本管に対して図中右側に４５度傾いた枝管の設置が可能となるのである。
【００２７】
他方で、図１０に示すように管体４０を、図１０において左方に２２．５度（図中Ｒ）屈曲した位置に回転させると、流入口Ｂと管体４０の流出口４１とは、汚水の流れる角度が１８０度となる。つまり、流入口Ｂは排水本管の流入口となり管体４０の流出口４１は排水本管の流出口と成るものである。
【００２８】
この際、流入口Ａを枝管取り付け口とし、流入口Ａに図示されない枝管を取り付けると排水本管に対して図中左側に４５度傾いた枝管の設置が可能となるのである。
【００２９】
かようにして、請求項３、請求項４に記載の考案によれば、排水本管の流入口に対して、左右それぞれに４５度傾いた枝管の取り付けが可能な汚水枡の提供が可能となるのである。
【００３０】
請求項４に記載の考案では、排水本管の流入口管軸と、流出口管軸とを一致せしめることを可能な汚水枡を提供することが可能となる。ここに管軸とは汚水の流れる方向に対して直角な断面円形の中心を繋いだ仮想線をいう。以下、図８を用いて概説する。詳述する。
【００３１】
図８において、流入口Ａの管軸ＡＫと流入口Ｂの管軸ＢＫの交点Ｋ1とする。一方、管体４０の流入口４２の管軸ＣＫと流出口４１の管軸ＤＫの交点をＫ２とする。管体４０を流出口３１に取り付けた際に、Ｋ１とＫ２とが一致するよう流出口３１、流入口４２及び管体４０を形成すれば、図９に示すように管軸ＡＫと管軸ＤＫとが同一線上に来ることになり、あるいは図１０に示すように管軸ＢＫと管軸ＤＫとが同一線上に来ることになる。つまりは排水本管が一直線状態となり、汚水の流れが円滑なものとなるのである。
【００３２】
以上のように本考案によれば、様々な方向の枝管に対する流入口を備えた汚水枡を提供することが可能となるのである。
【図面の簡単な説明】
【００３３】
【図１】請求項１記載の汚水枡の平面図
【図２】同、管体を９０度の方向に取り付けた平面図
【図３】同、管体を４５度の方向に取り付けた平面図
【図４】請求項２記載の汚水枡の平面図
【図５】同、管体を４５度の方向に取り付けた平面図
【図６】同、管体を１８０度の方向に取り付けた平面図
【図７】接続部の説明断面図
【図８】請求項３、４記載の汚水枡の平面図
【図９】同、枝管を右側４５度に取り付け可能な状態を示す平面図
【図１０】同、枝管を左側４５度に取り付け可能な状態を示す平面図
【図１１】図１０を側面から見た説明図
【考案を実施するための形態】
【００３４】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００３５】
図１乃至図３は請求項１記載の汚水枡の一実施例を示すもので、まず、図１に示すように、この汚水枡１０は、上方が開口した枡本体１４の底部にインバートが設けられ、該インバートと連通して枡本体１４の側壁に流入口１２と流出口１１とが設けられている。
【００３６】
また、前記流出口１１には、拡径受口１１ａが設けられており、該拡径受口１１ａに流出側の図示されない排水管の端部が挿入され接続される。
【００３７】
他方で、前記流入口１２には、拡径受口１２ａが設けられており、該拡径受口１２ａに流入側の管体１３の端部が挿入され、回転自在に接続される。回転自在とする手段は、図７に示されるように拡径受口１２ａの内周面に沿って凸条１５を設けると共に、管体１３の端部外周に凹溝１６を設け、凸条１５と凹溝１６とを回転自在に内接嵌着させることによる。尚、管体１３の外周端縁には環状のパッキン５０が介在させてある。
【００３８】
管体１３は塩化ビニル製のパイプ体であり、管軸が２２．５度（図２におけるＩ、図３におけるＪ）屈曲して形成されるものである。
【００３９】
図４乃至図６は請求項２記載の汚水枡の一実施例を示すもので、まず、図４に示すように、この汚水枡２０は、上方が開口した枡本体２４の底部にインバートが設けられ、該インバートと連通して枡本体２４の側壁に流入口２２と流出口２１とが設けられている。
【００４０】
また、前記流出口２１には、拡径受口２１ａが設けられており、該拡径受口２１ａに流出側の図示されない排水管の端部が挿入され接続される。
【００４１】
他方で、前記流入口２２には、拡径受口２２ａが設けられており、該拡径受口２２ａに流入側の管体２３の端部が挿入され、回転自在に接続される。回転自在とする手段は、図７に示されるように拡径受口２２ａの内周面に沿って凸条２５を設けると共に、管体２３の端部外周に凹溝２６を設け、凸条２５と凹溝２６とを回転自在に内接嵌着させることによる。尚、管体２３の外周端縁には環状のパッキン５０が介在させてある。
【００４２】
管体２３は塩化ビニル製のパイプ体であり、管軸が２２．５度（図５におけるＬ、図６におけるＭ）屈曲して形成されるものである。
【００４３】
図８乃至図１１は請求項３、請求項４記載の汚水枡の一実施例を示すもので、まず、図８に示すように、この汚水枡３０は、上方が開口した枡本体３２の底部にインバートが設けられ、該インバートと連通して枡本体３２の側壁に流入口Ａ、流入口Ｂ及び流出口３１が設けられている。流入口Ａと流入口Ｂとは、管軸ＡＫと管軸ＢＫとの交差角度が４５度となるよう形成されている。
【００４４】
また、前記流入口Ａ、流入口Ｂには、拡径受口Ａａ、Ｂａがそれぞれ設けられており、流入側の図示されない排水管あるいは枝管の端部が挿入され接続される。
【００４５】
他方で、前記流出口３１には、流出側の管体４０の端部が挿入され、回転自在に接続される。回転自在とする手段は、図８に示されるように流出口３１の内周面に沿って凸条３３を設けると共に、管体４０の流入口４２の外周に凹溝４３を設け、凸条３３と凹溝４３とを回転自在に内接嵌着させることによる。尚、流入口４２の外周端縁には図示されない環状のパッキンが介在させてある。
【００４６】
管体４０は塩化ビニル製のパイプ体であり、流入口４２と管本体４４とが連続して形成されるものである。この際、流入口４２の管軸ＣＫと管本体４４の管軸ＤＫとが２２．５度（図９におけるＱ、図１０におけるＲ）屈曲して形成される。
【符号の説明】
【００４７】
１０・・汚水枡      １１・・流出口      １２・・流入口
１３・・管体        １４・・枡本体      １５・・凸条
１６・・凹溝
２０・・汚水枡      ２１・・流出口      ２２・・流入口
２３・・管体        ２４・・枡本体      ２５・・凸条
２６・・凹溝
３０・・汚水枡      ３１・・流出口      ３２・・枡本体
３３・・凸条
４０・・管体        ４１・・流出口      ４２・・流入口
４３・・凹溝        ４４・・管本体
【図１】
0003204623.tif 000003
【図２】
0003204623.tif 000004
【図３】
0003204623.tif 000005
【図４】
0003204623.tif 000006
【図５】
0003204623.tif 000007
【図６】
0003204623.tif 000008
【図７】
0003204623.tif 000009
【図８】
0003204623.tif 000010
【図９】
0003204623.tif 000011
【図１０】
0003204623.tif 000012
【図１１】
0003204623.tif 000013
【手続補正書】
【提出日】平成28年3月29日(2016.3.29)
【手続補正１】
【補正対象書類名】実用新案登録請求の範囲
【補正対象項目名】全文
【補正方法】変更
【補正の内容】
【実用新案登録請求の範囲】
【請求項１】
枡本体に流入口と流出口とを設けた汚水枡であって、流出口に対して１１２．５度の合流角度で設けられた流入口に、２２．５度屈曲した管体を回転自在に取り付けた汚水枡。
【請求項２】
流出口に対して１５７．５度の合流角度で設けられた流入口に、２２．５度屈曲した管体を回転自在に取り付けた汚水枡。
【請求項３】
枡本体に２個の流入口Ａ及び流入口Ｂを、合流角度が４５度となる位置に設けると共に、流入口Ａから流入口Ｂに向けて２２．５度傾いた方向に汚水が流出するよう流出口を設け、当該流出口に対して２２．５度屈曲した管体を、流出口に対して回転自在に取り付けた汚水枡。
【請求項４】
流入口Ａの管軸ＡＫと流入口Ｂの管軸ＢＫの交点Ｋ1と、管体４０の流入口４２の管軸
ＣＫと流出口４１の管軸ＤＫの交点Ｋ２が、流出口に管体を嵌め込んだ際に一致するよう、汚水枡３０の流出口３１、管体４０の流入口４２及び管体４０を形成した請求項３に記載の汚水枡。